(57)【要約】【課題】  テレビ電波環境が劣化した際に、テレビ受信に悪影響を与える機能のアクセスタイミングを変更することにより、テレビ受信を優先的に救済するテレビ機能付き移動情報端末およびその制御方法を提供する。【解決手段】  ＴＶモジュールからテレビ電波環境が劣化したとアラーム通知を受け取った際に、テレビ視聴に関連せずテレビ視聴に影響を与える機能を停止もしくは一時停止させることで、テレビ視聴時にバックグランド動作で発生するノイズ成分の放射を防ぐ。【選択図】  図１
2006217063.tif 000002
【特許請求の範囲】
【請求項１】
ＴＶモジュールからテレビ電波環境が劣化したとアラーム通知を受け取った際に、テレビ視聴に関連せずテレビ視聴に影響を与える機能を停止もしくは一時停止させることで、テレビ視聴時にバックグランド動作で発生するノイズ成分の放射を防ぐことを特徴とするテレビ機能付き移動情報端末。
【請求項２】
ＴＶモジュールからテレビ電波環境が劣化したとアラーム通知を受け取った際に、内蔵メモリ、サブＬＣＤユニット等のアクセススピードを低速とすることで、テレビ視聴時にバックグランド動作で発生するノイズの周波数成分を変更し、テレビＲＦチャネルもしくはテレビ中間周波数に影響を少なくすることを特徴とするテレビ機能付き移動情報端末。
【請求項３】
ＴＶモジュールからテレビ電波環境が劣化したとアラームを受け取った際に、外部メモリのアクセス周期を変更することで、テレビ視聴時にバックグランド動作で発生するノイズ区間を短くすることで、テレビＲＦチャネルもしくはテレビ中間周波数への影響を少なくすることを特徴とするテレビ機能付き移動情報端末。
【請求項４】
ＴＶモジュールからテレビ電波環境が劣化したとアラームを受け取った際に、ＬＣＤユニットのフレームレートを変更することで、テレビ視聴時にバックグランド動作で発生するノイズの周波数成分を変更し、テレビＲＦチャネルもしくはテレビ中間周波数への影響を少なくすることを特徴とするテレビ機能付き移動情報端末。
【請求項５】
ＴＶモジュールからテレビ電波環境が劣化したとアラームを受け取った際に、テレビ視聴に影響与えるＬＣＤユニットをパワーダウンさせることを特徴とするテレビ機能付き移動情報端末。
【請求項６】
ＴＶモジュールからテレビ電波環境が劣化したとアラーム通知を受け取った際に、テレビ視聴に関連せずテレビ視聴に影響を与える機能を停止もしくは一時停止させることで、テレビ視聴時にバックグランド動作で発生するノイズ成分の放射を防ぐことを特徴とするテレビ機能付き移動情報端末の制御方法。
【請求項７】
ＴＶモジュールからテレビ電波環境が劣化したとアラーム通知を受け取った際に、内蔵メモリ、サブＬＣＤユニット等のアクセススピードを低速とすることで、テレビ視聴時にバックグランド動作で発生するノイズの周波数成分を変更し、テレビＲＦチャネルもしくはテレビ中間周波数に影響を少なくすることを特徴とするテレビ機能付き移動情報端末の制御方法。
【請求項８】
ＴＶモジュールからテレビ電波環境が劣化したとアラームを受け取った際に、外部メモリのアクセス周期を変更することで、テレビ視聴時にバックグランド動作で発生するノイズ区間を短くすることで、テレビＲＦチャネルもしくはテレビ中間周波数への影響を少なくすることを特徴とするテレビ機能付き移動情報端末の制御方法。
【請求項９】
ＴＶモジュールからテレビ電波環境が劣化したとアラームを受け取った際に、ＬＣＤユニットのフレームレートを変更することで、テレビ視聴時にバックグランド動作で発生するノイズの周波数成分を変更し、テレビＲＦチャネルもしくはテレビ中間周波数への影響を少なくすることを特徴とするテレビ機能付き移動情報端末の制御方法。
【請求項１０】
ＴＶモジュールからテレビ電波環境が劣化したとアラームを受け取った際に、テレビ視聴に影響与えるＬＣＤユニットをパワーダウンさせることを特徴とするテレビ機能付き移動情報端末の制御方法。
【発明の詳細な説明】
【技術分野】
【０００１】
本発明は、テレビ電波環境が劣化した際にテレビ受信を優先的に救済するテレビ機能付き移動情報端末およびその制御方法に関する。
【背景技術】
【０００２】
近年、移動情報端末の基板は小型、高機能化によって高密度化され、テレビ関連デバイス（特にＴＶモジュール）が他機能関連デバイスと同じ基板に密着して搭載されるようになったことにより、他デバイスから発生するノイズ成分がテレビ関連デバイスへ大きく干渉する。
【０００３】
よって、他デバイスから発生するノイズ成分をいかに押さえ込むか、もしくはテレビ関連デバイスに対してノイズの影響を小さくさせるかがポイントであった。
【０００４】
ここで、携帯無線端末は第１のアンテナと第１の受信部と第１の送信部とを備え、第１の周波数帯域で通信を行なう第１の通信装置と、第２のアンテナと第２の受信部とを備え、第２の周波数帯域で映像、画像、音声等といったデータの受信を行う第２の通信装置を有し、第２の受信部が受信を行なっているときは第１の通信装置の通信機能を停止させ、それによって第２の受信部が受信を行なっている間は第１の通信装置から電波が発信することがないため、第１の通信装置が第２の通信装置に与える影響を解消することによって、携帯電話に地上波デジタルＴＶの受信機等他の無線機を搭載した場合に、他の無線機の受信部が携帯電話の無線部から発信する電波の影響を受けることなく動作する技術が提案されている（例えば、特許文献１参照）。
【特許文献１】特開２００４−２０７８８０号公報
【発明の開示】
【発明が解決しようとする課題】
【０００５】
しかしながら、上述した従来例においては次のような問題点があった。
【０００６】
テレビ電波環境が劣悪な状況では、テレビ視聴時のバックグランド動作（他機能がテレビ機能と同時に動作すること）によるノイズがテレビＲＦチャネルやテレビ中間周波数を抑圧してしまい、その結果、テレビ視聴に悪影響を及ぼしてしまう。
【０００７】
また、高機能により各機能へのアクセススピードは早くなり、高速アクセスによる高調波成分がテレビＲＦチャネル、テレビ中間周波数に悪影響を与えやすい。なぜなら、低速アクセスよりも高速アクセスのほうが、スプリアス成分が強く、テレビＲＦチャネル、テレビ中間周波数に悪影響を与えやすいからである。
【０００８】
また、ＬＣＤ液晶が大画面化する等の高機能化により、移動情報端末は、図１７に示すように折り畳み形態が主流となり、基板を複数枚構成にしなければならなく、基板を複数枚構成にすることにより、この基板間のインターフェースの配線長が長くなってしまい、このインターフェースで高速で且つ常時アクセスされると、長い配線長から撒き散らすデジタルノイズの影響が非常に大きくなるといった問題点があった。
【０００９】
そこで、本発明は、テレビ電波環境が劣化した際に、テレビ受信に悪影響を与える機能のアクセスタイミングを変更することにより、テレビ受信を優先的に救済するテレビ機能付き移動情報端末およびその制御方法を提供することを目的とする。
【課題を解決するための手段】
【００１０】
請求項１記載の発明は、ＴＶモジュールからテレビ電波環境が劣化したとアラーム通知を受け取った際に、テレビ視聴に関連せずテレビ視聴に影響を与える機能を停止もしくは一時停止させることで、テレビ視聴時にバックグランド動作で発生するノイズ成分の放射を防ぐテレビ機能付き移動情報端末である。サブＬＣＤ機能、外部メモリ機能、携帯電話通信機能、Bluetooth機能、GPS機能がこれにあたる。これは、ＣＰＵがＴＶモジュールからのテレビ電波状況を監視でき、ＣＰＵがパワー制御回路経由で各機能（ユニット/モジュール）をパワーオン／パワーダウンできるハードウェア構成としたためである。
【００１１】
請求項２記載の発明は、ＴＶモジュールからテレビ電波環境が劣化したとアラーム通知を受け取った際に、内蔵メモリ、サブＬＣＤユニット等のアクセススピードを低速とすることで、テレビ視聴時にバックグランド動作で発生するノイズの周波数成分を変更し、テレビＲＦチャネルもしくはテレビ中間周波数に影響を少なくするテレビ機能付き移動情報端末である。これは、ＣＰＵがＴＶモジュールからのテレビ電波状況を監視でき、ＣＰＵと各機能（ユニット）とのインターフェース間に各種アクセススピード変更回路を設けることにより、ＣＰＵは、アクセススピードを低速にすることができるハードウェア構成としたためである。
【００１２】
請求項３記載の発明は、ＴＶモジュールからテレビ電波環境が劣化したとアラームを受け取った際に、外部メモリのアクセス周期を変更することで、テレビ視聴時にバックグランド動作で発生するノイズ区間を短くすることで、テレビＲＦチャネルもしくはテレビ中間周波数への影響を少なくするテレビ機能付き移動情報端末である。これは、ＣＰＵがＴＶモジュールからのテレビ電波状況を監視でき、ＣＰＵと外部メモリとのインターフェース間に外部メモリ用アクセス周期変更回路を設けることにより、アクセス周期を間欠にすることができノイズの影響を短時間にすることができるハードウェア構成としたためである。
【００１３】
請求項４記載の発明は、ＴＶモジュールからテレビ電波環境が劣化したとアラームを受け取った際に、ＬＣＤユニットのフレームレートを変更することで、テレビ視聴時にバックグランド動作で発生するノイズの周波数成分を変更し、テレビＲＦチャネルもしくはテレビ中間周波数への影響を少なくするテレビ機能付き移動情報端末である。これは、ＣＰＵがＴＶモジュールからのテレビ電波状況を監視でき、ＣＰＵとＬＣＤユニットとのインターフェース間にＬＣＤ用フレームレート変更回路を設けることにより、フレームレートを低速にすることができるハードウェア構成としたためである。
【００１４】
請求項５記載の発明は、ＴＶモジュールからテレビ電波環境が劣化したとアラームを受け取った際に、テレビ視聴に影響与えるＬＣＤユニットをパワーダウン（＝ＬＣＤ表示ＯＦＦ）させるテレビ機能付き移動情報端末である。ＬＣＤユニットを停止させるということはテレビ視聴が維持できないことなので、ＬＣＤユニットの機能停止をする前に録画機能をパワーオンさせる必要がある。これは、ＣＰＵがＴＶモジュールからのテレビ電波状況を監視でき、ＣＰＵがパワー制御回路経由でＬＣＤユニットをパワーオン／パワーダウンできる機能と、ＬＣＤユニットの機能停止をする前に録画回路をパワーオンさせることができるハードウェア構成としたためである。
【００１５】
請求項６記載の発明は、ＴＶモジュールからテレビ電波環境が劣化したとアラーム通知を受け取った際に、テレビ視聴に関連せずテレビ視聴に影響を与える機能を停止もしくは一時停止させることで、テレビ視聴時にバックグランド動作で発生するノイズ成分の放射を防ぐテレビ機能付き移動情報端末の制御方法である。サブＬＣＤ機能、外部メモリ機能、携帯電話通信機能、Bluetooth機能、GPS機能がこれにあたる。これは、ＣＰＵがＴＶモジュールからのテレビ電波状況を監視でき、ＣＰＵがパワー制御回路経由で各機能（ユニット/モジュール）をパワーオン／パワーダウンできるハードウェア構成としたためである。
【００１６】
請求項７記載の発明は、ＴＶモジュールからテレビ電波環境が劣化したとアラーム通知を受け取った際に、内蔵メモリ、サブＬＣＤユニット等のアクセススピードを低速とすることで、テレビ視聴時にバックグランド動作で発生するノイズの周波数成分を変更し、テレビＲＦチャネルもしくはテレビ中間周波数に影響を少なくするテレビ機能付き移動情報端末の制御方法である。これは、ＣＰＵがＴＶモジュールからのテレビ電波状況を監視でき、ＣＰＵと各機能（ユニット）とのインターフェース間に各種アクセススピード変更回路を設けることにより、ＣＰＵは、アクセススピードを低速にすることができるハードウェア構成としたためである。
【００１７】
請求項８記載の発明は、ＴＶモジュールからテレビ電波環境が劣化したとアラームを受け取った際に、外部メモリのアクセス周期を変更することで、テレビ視聴時にバックグランド動作で発生するノイズ区間を短くすることで、テレビＲＦチャネルもしくはテレビ中間周波数への影響を少なくするテレビ機能付き移動情報端末の制御方法である。これは、ＣＰＵがＴＶモジュールからのテレビ電波状況を監視でき、ＣＰＵと外部メモリとのインターフェース間に外部メモリ用アクセス周期変更回路を設けることにより、アクセス周期を間欠にすることができノイズの影響を短時間にすることができるハードウェア構成としたためである。
【００１８】
請求項９記載の発明は、ＴＶモジュールからテレビ電波環境が劣化したとアラームを受け取った際に、ＬＣＤユニットのフレームレートを変更することで、テレビ視聴時にバックグランド動作で発生するノイズの周波数成分を変更し、テレビＲＦチャネルもしくはテレビ中間周波数への影響を少なくするテレビ機能付き移動情報端末の制御方法である。これは、ＣＰＵがＴＶモジュールからのテレビ電波状況を監視でき、ＣＰＵとＬＣＤユニットとのインターフェース間にＬＣＤ用フレームレート変更回路を設けることにより、フレームレートを低速にすることができるハードウェア構成としたためである。
【００１９】
請求項１０記載の発明は、ＴＶモジュールからテレビ電波環境が劣化したとアラームを受け取った際に、テレビ視聴に影響与えるＬＣＤユニットをパワーダウン（＝ＬＣＤ表示ＯＦＦ）させるテレビ機能付き移動情報端末の制御方法である。ＬＣＤユニットを停止させるということはテレビ視聴が維持できないことなので、ＬＣＤユニットの機能停止をする前に録画機能をパワーオンさせる必要がある。これは、ＣＰＵがＴＶモジュールからのテレビ電波状況を監視でき、ＣＰＵがパワー制御回路経由でＬＣＤユニットをパワーオン／パワーダウンできる機能と、ＬＣＤユニットの機能停止をする前に録画回路をパワーオンさせることができるハードウェア構成としたためである。
【発明の効果】
【００２０】
本発明のテレビ機能付き移動情報端末およびその制御方法によれば、テレビ電波環境が劣化した際に、テレビ受信に悪影響を与える機能のアクセスタイミングを変更することにより、テレビ受信を優先的に救済することができる。
【発明を実施するための最良の形態】
【００２１】
次に、本発明の一実施の形態について図を参照して詳細に説明する。
【００２２】
図１は、本実施の形態におけるテレビ機能付き移動情報端末の全体構成を示す図である。
【００２３】
図１を参照すると、テレビ用受信アンテナで受信したテレビ電波（テレビＲＦチャネル）は、ＴＶモジュール１１０のチューナー部にて、中間周波数にまでダウンコンバートされ、その後、検波・復調される。
【００２４】
ＴＶモジュール１１０は、ＴＶ電波の受信レベルを検出できる機能を有し、規定値以下の受信レベルになったときにはテレビ電波環境が劣化したと判断し、ＴＶモジュール１１０からＣＰＵ１００へ通知する。
【００２５】
ＴＶモジュール１１０にて検波・復調された映像出力（ビデオ・コンポジット信号）は、ビデオ信号コンバータ１１１へ入力され、ビデオ信号コンバータ１１１では、Ａ／Ｄ変換が行なわれ、その後、ビデオ信号コンバータ１１１内のビデオデコーダを経由しデジタルのビデオ信号（ＹＣＢＣｒビデオコンポーネント信号）へ変換し、フレーム周期でビデオ/ＲＧＢコンバータ１１２へ出力される。
【００２６】
ビデオ信号は、ビデオ/ＲＧＢコンバータ１１２にて、ＲＧＢデータ（色情報）に変換され、このＲＧＢデータはＬＣＤユニット１４０（ＬＣＤドライバ＋液晶含む）へ出力される。
【００２７】
ＣＰＵ１００は、ＴＶモジュール１１０からテレビ電波環境が劣化したと通知された場合、テレビ視聴は維持させたまま、パワー制御回路１１０経由で、テレビ視聴に影響を与える各機能（携帯電話通信用無線モジュール１８０、サブＬＣＤユニット１５０、外部メモリ１２０、Bluetoothモジュール１７０、ＧＰＳモジュール１６０）をパワーダウンさせる。
【００２８】
また、ＣＰＵ１００は、ＴＶモジュール１１０からテレビ電波環境が劣化したと通知された場合、テレビ視聴は維持させたまま、内蔵メモリ１３０とＣＰＵ１００間のインターフェースを司る内蔵メモリ用アクセススピード変更回路１０３に対してアクセススピード変更を通知し、内蔵メモリ１３０との通信速度を低下させる。
【００２９】
なお、テレビ視聴時、ＣＰＵ１００はプログラムが格納される内蔵メモリ１３０には頻繁にアクセスする必要がないことが前提である。これは、テレビ視聴時に、ＣＰＵ１００が内蔵メモリ１３０に頻繁にアクセスしているとなると、内蔵メモリ１３０へのアクセススピードを落とすことにより、ＣＰＵパフォーマンスが下がってしまい、テレビ視聴に影響を与えてしまうからである。
【００３０】
内蔵メモリ１３０とのインターフェースは、アドレス・データバスを用いたパラレルインターフェースが一般的であるため、テレビ電波環境が劣化したとアラーム通知を受け取った際に、内蔵メモリ用アクセススピード変更回路１０３にて、例えば、図５のように、ウェイト値を大きく（ＲＥＡ／Ｄパルスを１クロック長く）しアクセススピードを低下させる。
【００３１】
また、ＣＰＵ１００は、ＴＶモジュール１１０からテレビ電波環境が劣化したと通知された場合、テレビ視聴は維持させたまま、サブＬＣＤユニット１５０とＣＰＵ１００間のインターフェースを司るサブＬＣＤ用アクセススピード変更回路１０５に対してアクセススピード変更を通知し、サブＬＣＤユニット１５０との通信速度を低下させる。
【００３２】
なお、テレビ視聴時は、ＣＰＵ１００がサブＬＣＤユニット１５０には頻繁にアクセスする必要がないことが前提である。
【００３３】
サブＬＣＤユニット１５０とのインターフェースがアドレス・データバスを用いたパラレルインターフェースであった場合、テレビ電波環境が劣化したとアラーム通知を受け取った際に、サブＬＣＤ用アクセススピード変更回路１０５にて、例えば、図５のように、ウェイト値を大きく（ＲＥＡ／Ｄパルスを１クロック長く）し、アクセススピードを低下させる。
【００３４】
次に、図２を参照して録画機能を有した移動情報端末について説明する。
【００３５】
テレビ用受信アンテナで受信したテレビ電波（テレビＲＦチャネル）は、ＴＶモジュール１１０のチューナー部にて、中間周波数にまでダウンコンバートされ、その後、検波・復調される。
【００３６】
ＴＶモジュール１１０は、ＴＶ電波の受信レベルを検出できる機能を有し、規定値以下の受信レベルになったときにはテレビ電波環境が劣化したと判断し、ＴＶモジュール１１０からＣＰＵ１００へ通知する。
【００３７】
ＣＰＵ１００は、録画機能をパワーオンさせ、その後、パワー制御回路１０１経由でＬＣＤユニット１４０を停止させる。
【００３８】
ＴＶモジュール１１０にて検波・復調された映像出力（ビデオ・コンポジット信号）は、ビデオ信号コンバータ１１１へ入力され、ビデオ信号コンバータ１１１では、Ａ／Ｄ変換が行なわれ、その後、ビデオ信号コンバータ１１１内のビデオデコーダを経由しデジタルのビデオ信号（ＹＣＢＣｒビデオコンポーネント信号）へ変換しフレーム周期で録画回路１１３へ出力される。
【００３９】
録画回路１１３は、動画エンコーダ機能を搭載し、ビデオ信号を圧縮する機能を有し、圧縮完了でＣＰＵに随時引き渡し、ＣＰＵ１００は圧縮データをＢＵＳ経由で外部メモリ用アクセス周期変更回路１０２へ渡し、任意のアクセス周期で、外部メモリ用アクセスス周期変更回路１０２は外部メモリ１２０へ動画圧縮データを転送する。
【００４０】
また、移動情報端末に内蔵搭載されるメモリの大容量化はコスト・小型化でメリットが薄いため、テレビ録画したデータは、メモリカードなどの外部メモリへ登録されるのが一般的である。よって、録画中に外部メモリへのアクセスは必須となるが、外部メモリへのアクセスは連続アクセスであるため、このときに発生するデジタルノイズがテレビ視聴に悪影響を与える可能性がある。
【００４１】
そこで、外部メモリ１２０とＣＰＵ１００間のインターフェースを司る外部メモリ用アクセス周期変更回路１０２には、アクセス周期を変更できる機能を設け、ＴＶモジュール１１０からテレビ電波環境が劣化したとアラーム通知を受け取った際に、テレビ録画にかかるブロックに関してテレビ録画を維持できる状態のままとし、ＣＰＵ１００は、外部メモリ１２０とＣＰＵ１００間のインターフェースを司る外部メモリ用アクセス周期変更回路１０２に対してアクセス周期の変更を通知し、外部メモリ１２０とのアクセス周期を間欠周期に変更する。
【００４２】
以下に、図２を参照してハードウェアの構成を説明し、図６を参照して外部メモリアクセス周期の変更例を説明する。
【００４３】
図６に示すように、テレビ電波環境に影響を与える外部メモリアクセスにおいて、常時アクセスしていた場合、常時、テレビ視聴画面が乱れる結果となってしまう。よって、この常時アクセスを、外部メモリ用アクセス周期変更回路１０２にて高速で間欠アクセスに周期変更し、テレビ録画画面を間欠で乱れさせテレビ視聴・録画に耐えうる環境とし、録画中のテレビ画像乱れ時間を短くすることも可能である。
【００４４】
テレビ電波環境が良好な場合、テレビ録画中に外部メモリ１２０への圧縮データの格納は内蔵ワークメモリ１１４を介さず、ＣＰＵ１００は外部メモリ用アクセス周期変更回路１０２経由で直接、外部メモリ１２０へ格納する。
【００４５】
電波環境が劣と判断されたならば、ＣＰＵ１００は、まず、外部メモリ用アクセス周期変更回路１０２経由で内蔵ワークメモリ１１４をパワーアップさせる。
【００４６】
ＣＰＵ１００は、録画回路１１３から手渡された圧縮データを、一旦、ＢＵＳ経由で外部メモリ用アクセス周期変更回路１０２へ渡す。
【００４７】
外部メモリ用アクセス周期変更回路１０２は、受け取った圧縮データを有限な内蔵ワークメモリ１１４へ格納する。
【００４８】
外部メモリ用アクセス周期変更回路１０２は、内蔵ワークメモリ１１４の空き情報を管理し、内蔵ワークメモリ１１４が空き残りわずかと判断したら、内蔵ワークメモリ１１４から圧縮データを吸い上げて、外部メモリ１２０へ高速自動転送する。
【００４９】
図４は、異なる基板にＬＣＤユニットテレビ関連デバイスが配置された場合の、基板間インターフェースのアクセススピード（フレームレート）を可変させるためのハードウェア構成図である。
【００５０】
ＴＶモジュール１１０からテレビ電波環境が劣化したとアラーム通知を受け取ったＣＰＵ１００は、ビデオ／ＲＧＢコンバータ１１２とＣＰＵ１００間のインターフェースを司るＬＣＤ用フレームレート変更回路１１８に対してフレームレート変更を通知し、フレームレートを低速にする。
【００５１】
本インターフェースは、クロック同期シリアルが一般的なので、ＬＣＤ用フレームレート変更回路１１８にて、クロック信号、フレーム信号を分周し、フレームレートを低下させることでテレビ受信を救済する。
【００５２】
以下に、図７を参照して、ＬＣＤアクセス頻度を抑えた実施例をフレームデータコンペア回路２０２の内蔵回路を使って詳細に説明する。
【００５３】
初期設定として、ＣＰＵ１００は、コンペア／データ転送コントローラ２０１をパワーアップし、コンペア回路２０２、ＣＰＵ転送メモリ２０５、画像メモリＡ２０３、画像メモリＢ２０４はパワーアップしない。
【００５４】
テレビ電波環境が良い状態は、ＣＰＵ１００は、コンペア／データ転送コントローラ２０１に対してビデオ信号コンバータ１１１からの画像データをスルーでＣＰＵ１００へ出力する設定とする。
【００５５】
ＴＶモジュール１１０からテレビ電波環境が劣化したとアラーム通知を受け取った際、ＣＰＵ１００は、コンペア／データ転送コントローラ２０１経由でコンペア回路２０２、ＣＰＵ転送メモリ２０５、画像メモリＡ２０３、画像メモリＢ２０４をパワーオンさせる。
【００５６】
コンペア／データ転送コントローラ２０１は、ビデオ信号コンバータ１１１からの画像データをフレーム毎に画像メモリＡ・２０３、画像メモリＢ・２０４と順次切り替えて格納させる。
【００５７】
ただし、コンペア／データ転送コントローラ２０１はどちらの画像メモリに最新データ／１フレーム前の古いデータが格納されているのか管理しなければならない。
【００５８】
コンペア／データ転送コントローラ２０１は、コンペア回路２０２に対してフレーム毎にメモリＡ２０４、画像メモリＢ２０５の格納データをコンペアさせる。
【００５９】
コンペアタイミングはフレーム毎でコンペア／データ転送コントロ−ラ２０１より指示する。
【００６０】
コンペア回路２０２での比較結果にて、フレーム間で異なるデータであると判断したら、コンペア／データ転送コントローラ２０１は画像メモリＡ／画像メモリＢのいずれかに格納される更新された最新画像データをＣＰＵ転送メモリ２０５へ転送する。
【００６１】
コンペア／データ転送コントローラ２０１は、ＣＰＵ転送メモリ２０５格納完了通知（コンペア終了通知）としてＣＰＵ１００へ通知する。
【００６２】
ＣＰＵ１００は、コンペア／データ転送コントローラ２０１経由でＣＰＵ転送メモリ２０５内の１フレームデータをリードし、取得した更新画像データをＢＵＳ経由でＬＣＤコントローラ２１０へコマンド送信する。
【００６３】
以下に、図８を参照して、ＬＣＤ用フレームレート変更回路１１８を用いたＬＣＤフレームレートを低速にした実施例をＬＣＤ用フレームレート変更回路１１８の内蔵回路を使って詳細に説明する。
【００６４】
初期設定として、ＣＰＵ１００は、ＬＣＤフレームレートコントローラ３０１経由でフレームレート変更回路３０２をパワーアップし、フレームレート変更回路３０２に対してビデオ信号コンバータ１１１出力をスルーでビデオ／ＲＧＢコンバータ１１２へ出力する設定とする。よって、画像メモリＣ３０３は、未だパワーアップしない。
【００６５】
ＴＶモジュール１１０からテレビ電波環境が劣化したとアラーム通知を受け取った際、ＣＰＵ１００は、ＬＣＤフレームレートコントローラ３０１経由で１フレーム分の画像データを格納できる画像メモリＣ３０３をパワーアップし、フレームレート変更回路３０２に対して現状フレームレートの１／ｎ倍まで低速にするのか設定するフレームレート変更回路３０２では、上記で設定された１／ｎ倍に、ビデオ信号コンバータ１１１出力のフレーム信号、クロック信号を分周する。
【００６６】
ＬＣＤフレームレートコントローラ３０１は、ビデオ信号コンバータ１１１出力のデータを随時、フレーム毎に画像メモリＣ３０３に順次上書きし、設定したフレームレートのタイミングで画像メモリ３０３から画像データを読み出し、フレームレート変更回路３０２に通知する。
【００６７】
フレームレート変更回路３０２では受け取った画像データをＳ１２０で生成したフレーム信号、クロック信号に載せて、ビデオ／ＲＧＢコンバータ１１２へ転送する。
【００６８】
以下に、図９を参照して、本実施の形態におけるサブＬＣＤユニット１５０をパワーオフすることにより、テレビ受信を救済する処理フローを説明する。なお、ハードウェア構成図は図１を参照する。
【００６９】
テレビ視聴時、ＴＶモジュール１１０よりテレビ電波環境が劣化したとＣＰＵ１００へアラーム通知されたか否かを判定する（Ｓ１０１）。
【００７０】
ＹＥＳ（劣判定）でＳ１０２へ移行し、ＮＯ（良判定）では何もアクションせずテレビ視聴を継続する。
【００７１】
ＹＥＳ（劣判定）では、ＣＰＵ１００がパワー制御回路１０１へサブＬＣＤユニット１５０をパワーダウンするように命令する（Ｓ１０２）。パワー制御回路１０１は、サブＬＣＤユニット１５０をパワーダウンさせる。
【００７２】
以上の処理フローにより、サブＬＣＤユニット１５０アクセスによるデジタルノイズのテレビ視聴への影響をなくすことが可能となる。
【００７３】
次に、図１０を参照して、外部メモリ１２０をパワーオフすることにより、テレビ受信を救済する処理フローを説明する。なお、ハードウェア構成図は図１を参照する。
【００７４】
テレビ視聴時、ＴＶモジュール１１０よりテレビ電波環境が劣化したとＣＰＵ１００へアラーム通知されたか否かを判定する（Ｓ１０１）。
【００７５】
ＹＥＳ（劣判定）でＳ１０３へ移行し、ＮＯ（良判定）では何もアクションせずテレビ視聴を継続する。
【００７６】
ＹＥＳ（劣判定）では、ＣＰＵ１００がパワー制御回路１０１へ外部メモリ１２０をパワーダウンするように命令する（Ｓ１０３）。パワー制御回路１０１は、外部メモリ１２０をパワーダウンさせる。
【００７７】
以上の処理フローにより、外部メモリ１２０アクセスによるデジタルノイズのテレビ視聴への影響をなくすことが可能となる。
【００７８】
以下に、図１１を用いて、内蔵メモリ１３０のアクセススピードを低速にさせることにより、テレビ受信を救済する処理フローを説明する。なお、ハードウェア構成図は図１を参照する。
【００７９】
テレビ視聴時、ＴＶモジュール１１０よりテレビ電波環境が劣化したとＣＰＵ１００へアラーム通知されたか否かを判定する（Ｓ１０１）。
【００８０】
ＹＥＳ（劣判定）でＳ１０８へ移行し、ＮＯ（良判定）では何もアクションせずテレビ視聴を継続する。
【００８１】
ＹＥＳ（劣判定）では、ＣＰＵ１００が内蔵メモリ用アクセススピード変更回路１０３にアクセススピードを低速にするように命令する（Ｓ１０８）。
【００８２】
そして、内蔵メモリ用アクセススピード変更回路１０３は、ウェイト値を大きく（ＲＥＡ／Ｄパルス、ＷＲＩＴＥパルスを長く）しアクセススピードを低下させる（Ｓ１０９）。
【００８３】
以上の処理フローにより、内蔵メモリ１３０のアクセススピードによるデジタルノイズのテレビ視聴への影響を低下させることが可能となる。
【００８４】
以下に、図１２を用いて、サブＬＣＤユニット１５０のアクセススピードを低速にさせることにより、テレビ受信を救済する処理フローを説明する。なお、ハードウェア構成図は図１を参照する。
【００８５】
テレビ視聴時、ＴＶモジュール１１０よりテレビ電波環境が劣化したとＣＰＵ１００へアラーム通知されたか否かを判定する（Ｓ１０１）。
【００８６】
ＹＥＳ（劣判定）でＳ１１０へ移行し、ＮＯ（良判定）では何もアクションせずテレビ視聴を継続する。
【００８７】
ＹＥＳ（劣判定）では、ＣＰＵ１００がサブＬＣＤ用アクセススピード変更回路１０５にアクセススピードを低速にするように命令する（Ｓ１１０）。
【００８８】
そして、サブＬＣＤ用アクセススピード変更回路１０５は、サブＬＣＤインターフェースがパラレルインターフェースであればウェイト値を大きく（ＲＥＡ／Ｄパルス、ＷＲＩＴＥパルスを長く）しアクセススピードを低下させるし、サブＬＣＤインターフェースがシリアルインターフェースであればクロックスピードを落としてアクセススピードを低下させる（Ｓ１１１）。
【００８９】
以上の処理フローにより、サブＬＣＤユニット１５０のアクセススピードによるデジタルノイズのテレビ視聴への影響を低下させることが可能となる。
【００９０】
以下に、図１３を用いて、ＬＣＤユニット１４０をパワーダウンさせることにより、テレビ録画を救済する処理フローを説明する。なお、ハードウェア構成図は図２を参照する。
【００９１】
テレビ視聴時、ＴＶモジュール１１０よりテレビ電波環境が劣化したとＣＰＵ１００へアラーム通知されたか否かを判定する（Ｓ１０１）。
【００９２】
ＹＥＳ（劣判定）でＳ１１２へ移行し、ＮＯ（良判定）では何もアクションせずテレビ視聴を継続する。
【００９３】
ＹＥＳ（劣判定）では、ＣＰＵ１００が録画回路１１３に対してパワーアップするように命令する（Ｓ１１２）。
【００９４】
そして、ＣＰＵ１００がパワー制御回路１０１へ外部メモリ１２０をパワーアップするように命令する（Ｓ１１３）。録画回路１１３にて圧縮されたデータは、ＣＰＵ１００にて、外部メモリ用アクセス周期変更回路１０２経由で外部メモリ１２０へ格納するため、外部メモリ１２０をパワーアップさせておく必要がある。
【００９５】
次に、ＣＰＵ１００が録画回路１１３に対して録画開始するように命令する（Ｓ１１４）。この命令により、録画回路内の動画エンコード機能がパワーアップされ、圧縮処理が開始される。また、ＣＰＵ１００により、圧縮データは外部メモリ用アクセス周期変更回路１０２経由で外部メモリ１２０へ格納される。
【００９６】
そして、ＣＰＵ１００がパワー制御回路１０１へＬＣＤユニット１４０をパワーダウンするように命令する（Ｓ１１５）。パワー制御回路１０１は、ＬＣＤユニット１４０をパワーダウンさせる。
【００９７】
以上の処理フローにより、ＬＣＤユニット１４０のアクセスによるデジタルノイズのテレビ録画への影響を低下させることができる。
【００９８】
以下に、図１４を用いて、外部メモリ１２０のアクセス周期を間欠タイミングにすることにより、テレビ録画を救済する処理フローを説明する。なお、ハードウェア構成図は図２を参照する。
【００９９】
テレビ視聴時、ＴＶモジュール１１０よりテレビ電波環境が劣化したとＣＰＵ１００へアラーム通知されたか否かを判定する（Ｓ１０１）。
【０１００】
ＹＥＳ（劣判定）でＳ１２２へ移行し、ＮＯ（良判定）では何もアクションせずテレビ視聴を継続する。
【０１０１】
ＹＥＳ（劣判定）では、ＣＰＵ１００が外部メモリ用アクセス周期変更回路１０２に対して、間欠アクセス周期に変更するように命令する（Ｓ１２２）。また、外部メモリ用アクセス周期変更回路１０２は、内蔵ワークメモリ１１４のパワーアップを行ない、その後、ＣＰＵ１００から転送される圧縮データを有限な内蔵ワークメモリ１１４へ格納する。
【０１０２】
そして、外部メモリ用アクセス周期変更回路１０２が有限な内蔵ワークメモリ１１４の空き情報を管理しているので、ＦＵＬＬに近い状態になったか否か判定する（Ｓ１２３）。
【０１０３】
ＹＥＳ（ＦＵＬＬ判定である）であればＳ１２４へ移行し、一方、ＮＯ（ＦＵＬＬ判定でない）であれば、ＣＰＵ１００から転送される圧縮データを内蔵ワークメモリ１１４へ格納する処理を続ける。
【０１０４】
次に、外部メモリ用アクセス周期変更回路１０２は、圧縮データを内蔵ワークメモリ１１４から外部メモリへ高速転送する（Ｓ１２４）。なお、上記の処理終了で、Ｓ１２３へ移行する。
【０１０５】
以上の処理フローにより、外部メモリ１２０のアクセスタイミングを間欠周期にし、またアクセス時間を短縮することができ、その結果、デジタルノイズのテレビ視聴への影響を低下させることが可能となる。すなわち、内蔵ワークメモリに圧縮データが貯まるまでは外部メモリアクセスを休止することができる。
【０１０６】
以下に、図１５を用いて、ＬＣＤユニット１４０のフレームレートを低速にさせることにより、テレビ視聴を救済する処理フローを説明する。なお、ハードウェア構成図は図８を参照する。
【０１０７】
テレビ視聴の初期設定として、ＣＰＵ１００は、ＬＣＤ用フレームレートコントローラ３０１経由でフレームレート変更回路３０２をパワーアップし、ビデオ信号コンバータ１１１出力をスルーでビデオ／ＲＧＢコンバータ１１２へ入力する設定としておく（Ｓ１１８）。
【０１０８】
テレビ視聴時、ＴＶモジュール１１０よりテレビ電波環境が劣化したとＣＰＵ１００へアラーム通知されたか否かを判定する（Ｓ１０１）。
【０１０９】
ＹＥＳ（劣判定）でＳ１１９へ移行し、ＮＯ（良判定）では何もアクションせずテレビ視聴を継続する。
【０１１０】
ＹＥＳ（劣判定）では、ＣＰＵ１００は、ＬＣＤ用フレームレートコントローラ３０１経由で画像メモリＣ３０３をパワーアップするように命令する（Ｓ１１９）。
【０１１１】
そして、ＣＰＵ１００は、ＬＣＤ用フレームレートコントローラ３０１経由でフレームレート変更回路３０２に対して、現状フレームレートの１/n倍に低速とするように命令する（Ｓ１２０）。フレームレート変更回路３０２は、設定された１/n倍に、ビデオ信号コンバータ出力のフレーム信号、クロック信号を分周とする。ＬＣＤ用フレームレートコントローラ３０１は、ビデオ信号コンバータ１１１出力のデータを随時、フレーム毎に１フレーム分の画像データを格納できる画像メモリＣ３０３に順次上書きする。
【０１１２】
次に、上記のＳ１２０で設定したフレームレートのタイミングで、ＬＣＤ用フレームレートコントローラ３０１は画像メモリ３０３から画像データを読み出し、フレームレート変更回路３０２に通知する（Ｓ１２１）。フレームレート変更回路３０２では受け取った画像データをＳ１２０で生成したフレーム信号、クロック信号に載せて、ビデオ／ＲＧＢコンバータ１１２へ転送する。
【０１１３】
以上の処理フローにより、ＬＣＤユニット１４０のフレームレートを低速にすることができ、デジタルノイズのテレビ視聴への影響を低下させることが可能となる。
【０１１４】
以下に、図１６を用いて、ＬＣＤユニット１４０のアクセスの頻度を押さえることにより、テレビ視聴を救済する処理フローを説明する。なお、ハードウェア構成図は図３および図８を参照する。
【０１１５】
テレビ視聴の初期設定として、ＣＰＵ１００はコンペア／データ転送コントローラ２０１をパワーアップし、コンペア回路２０２、ＣＰＵ転送メモリ２０５、画像メモリＡ・２０３、画像メモリＢ・２０４はパワーアップしない（Ｓ１２７）。テレビ電波環境が良い状態は、ＣＰＵ１００はコンペア／データ転送コントローラ２０１に対してビデオ信号コンバータ１１１からの画像データをスルーでＣＰＵ１００へ出力する設定とする。
【０１１６】
テレビ視聴時、ＴＶモジュール１１０よりテレビ電波環境が劣化したとＣＰＵ１００へアラーム通知されたか否かを判定する（Ｓ１０１）。
【０１１７】
ＹＥＳ（劣判定）でＳ１２８へ移行し、ＮＯ（良判定）では何もアクションせずテレビ視聴を継続する。
【０１１８】
ＹＥＳ（劣判定）では、ＣＰＵ１００は、コンペア／データ転送コントローラ２０１経由でコンペア回路２０２、ＣＰＵ転送メモリ２０５、画像メモリＡ２０３、画像メモリＢ２０４をパワーオンさせる。
【０１１９】
そして、コンペア／データ転送コントローラ２０１は、ビデオ信号コンバータ１１１からの画像データをフレーム毎に画像メモリＡ２０３、画像メモリＢ２０４と順次切り替えて格納させる（Ｓ１２９）。ただし、コンペア／データ転送コントローラ２０１は、どちらの画像メモリに最新データ／１フレーム前データが格納されているのか管理しなければならない。
【０１２０】
次に、コンペア／データ転送コントローラ２０１は、コンペア回路２０２に対してフレーム毎にメモリＡ２０４、画像メモリＢ２０５の格納データをコンペアさせる（Ｓ１３０）。
【０１２１】
コンペアタイミングは、フレーム毎でコンペア／データ転送コントロ−ラ２０１より指示する。コンペア回路２０２での比較結果にて、ＮＯ（異なるデータと判断）であればＳ１３１へ移行し、ＹＥＳ（同じデータと判断）であればＳ１２９へ移行する。
【０１２２】
コンペア／データ転送コントローラ２０１は、画像メモリＡ／画像メモリＢのいずれかに格納される更新された最新画像データをＣＰＵ転送メモリ２０５へ転送する（Ｓ１３１）。ここで、コンペア／データ転送コントローラ２０１は、ＣＰＵ転送メモリ２０５格納完了通知としてＣＰＵ１００へ通知する。また、ＣＰＵ１００は、コンペア／データ転送コントローラ２０１経由でＣＰＵ転送メモリ２０５内の１フレームデータをリードし、取得した更新画像データをＢＵＳ経由でＬＣＤコントローラ２１０へコマンド送信する。
【０１２３】
以上の処理フローにより、ＬＣＤユニット１４０のアクセス頻度を抑えることができ、デジタルノイズのテレビ視聴への影響を低下させることが可能となる。
【０１２４】
上記のように、本実施の形態によれば、テレビ電波環境が劣化した際、テレビ視聴に影響を全く与えずにテレビ電波環境を改善させることができる。その理由は、テレビ機能に全く関連ないブロックをパワーダウンすることにより、テレビＲＦチャネル、テレビ中間周波数に影響を与えるノイズ成分を削減することが可能となるためである。
【０１２５】
また、テレビ電波環境が劣化した際、テレビ視聴になるべく影響を与えない手法で、テレビ電波環境を改善させることができる。その理由は、テレビ視聴に影響を与えないレベルで、各ブロックに対して、アクセススピードの低下、アクセス周期の変更、アクセス頻度を少なくすることにより、テレビＲＦチャネル、テレビ中間周波数に影響を与えるノイズ成分を削減することが可能となるためである。
【０１２６】
テレビ電波環境が劣化した際、テレビ視聴に影響を与えるブロック、特にＬＣＤユニットをパワーダウンさせてテレビ電波環境を改善させる手法の場合、テレビ録画処理へ自動的に移行させテレビ視聴を救済することができる。テレビ録画処理が正常に行なわれれば、後に再生することが可能となり、見たいテレビ番組を見逃すことはない。その理由は、録画回路を搭載することで、テレビ視聴に影響を与えるブロックをパワーダウンすることができ、録画中はテレビＦチャネル、テレビ中間周波数に影響を与えるデジタルノイズを削減することが可能となるためである。
【０１２７】
なお、上述する各実施の形態は、本発明の好適な実施の形態であり、本発明の要旨を逸脱しない範囲内において種々変更実施が可能である。例えば、「テレビ受信優先モード」のオン／オフの切替が予めユーザ選択で可能となるようにし、「テレビ受信優先モード」オン設定の時に本発明を適用する。また、「テレビ受信優先モード」オフ設定であれば、従来どおり、テレビ電波環境が劣化してもテレビ電波環境を改善させる機能を作動させないことであってもよい。
【０１２８】
上述したように、テレビ電波環境劣により、各機能パワーダウン、各機能のアクセススピード／アクセスタイミング／アクセス頻度を少なくするといったテレビ視聴を救済する手順を順番に遷移させる機能も有する。
【０１２９】
例えば、サブＬＣＤユニットのパワーダウンを行ない、これでもテレビ電波環境が改善されないのであれば、次のBluetoothモジュールのパワーダウンを行う。これでもテレビ電波環境が改善されないのであれば、ＧＰＳモジュールのパワーダウンを行なう、といったように、ある一つの策でテレビ電波環境が改善されないと判断されたならば次の策に移行する機能を有することであってもよい。なお、遷移させるポイントとして、テレビ視聴への影響度が少ない策から順番に行なって、最終的にリアルタイムにテレビ視聴するには厳しいと判断し、ＬＣＤユニットのパワーダウンによる録画機能の作動へ移行させてもよい。
【０１３０】
また、上記の実施の形態におけるテレビ機能付き移動情報端末の機能を実現するためのプログラムを装置に読込ませて実行することにより本テレビ機能付き移動情報端末の機能を実現する処理を行なってもよい。さらに、そのプログラムは、コンピュータ読み取り可能な記録媒体であるＣＤ−ＲＯＭまたは光磁気ディスク等を介して、または伝送媒体であるインターネット、電話回線等を介して伝送波により他のコンピュータシステムに伝送されてもよい。
【図面の簡単な説明】
【０１３１】
【図１】本発明の実施形態におけるテレビ機能付き移動情報端末のブロック図である。
【図２】本発明の実施形態におけるテレビ機能付き移動情報端末のブロック図である。
【図３】本発明の実施形態におけるテレビ機能付き移動情報端末のブロック図である。
【図４】ＬＣＤアクセスの変更例を示す図である。
【図５】メモリアクセスの変更例を示す図である。
【図６】外部メモリアクセス周期の変更例を示す図である。
【図７】本発明の実施形態におけるフレームデータコンペア回路を示す図である。
【図８】本発明の実施形態におけるＬＣＤ用フレームレート変更回路を示す図である。
【図９】本発明の実施形態におけるテレビ視聴を救済する処理動作を説明するためのフローチャートである。
【図１０】本発明の実施形態におけるテレビ視聴を救済する処理動作を説明するためのフローチャートである。
【図１１】本発明の実施形態におけるテレビ視聴を救済する処理動作を説明するためのフローチャートである。
【図１２】本発明の実施形態におけるテレビ視聴を救済する処理動作を説明するためのフローチャートである。
【図１３】本発明の実施形態におけるテレビ視聴を救済する処理動作を説明するためのフローチャートである。
【図１４】本発明の実施形態におけるテレビ視聴を救済する処理動作を説明するためのフローチャートである。。
【図１５】本発明の実施形態におけるテレビ視聴を救済する処理動作を説明するためのフローチャートである。
【図１６】本発明の実施形態におけるテレビ視聴を救済する処理動作を説明するためのフローチャートである。
【図１７】従来例における移動情報端末の折り畳み形態を示す図である。
【符号の説明】
【０１３２】
１００    ＣＰＵ
１０１    パワー制御回路
１０３    内蔵メモリ用アクセススピード変更回路
１０５    サブＬＣＤ用アクセススピード変更回路
１１０    ＴＶモジュール
１１１    ビデオ信号コンバータ
１１２    ビデオ/ＲＧＢコンバータ
１２０    外部メモリ
１３０    内蔵メモリ
１４０    ＬＣＤユニット
１５０    サブＬＣＤユニット
１６０    ＧＰＳモジュール
１７０    Bluetoothモジュール
１８０    携帯電話通信用無線モジュール
【図１】
2006217063.tif 000003
【図２】
2006217063.tif 000004
【図３】
2006217063.tif 000005
【図４】
2006217063.tif 000006
【図５】
2006217063.tif 000007
【図６】
2006217063.tif 000008
【図７】
2006217063.tif 000009
【図８】
2006217063.tif 000010
【図９】
2006217063.tif 000011
【図１０】
2006217063.tif 000012
【図１１】
2006217063.tif 000013
【図１２】
2006217063.tif 000014
【図１３】
2006217063.tif 000015
【図１４】
2006217063.tif 000016
【図１５】
2006217063.tif 000017
【図１６】
2006217063.tif 000018
【図１７】
2006217063.tif 000019